(57)【特許請求の範囲】
【請求項１】
対象のハンドルを覆うように配置された器具であって、前記器具は、
一端で開いているフレキシブルバッグと、
環状のスカートと、
固定用リングと
を含み、
前記環状のスカートは、
前記環状のスカートの長手方向の軸を画定する内側のリング形状のエッジと、
前記内側のリング形状のエッジの周りに半径方向に配列され、前記内側のリング形状のエッジから前記環状のスカートの前記長手方向の軸に向かって延在する複数のスカートフィンガーと
を含み、
前記複数のスカートフィンガーは、前記環状のスカートの前記長手方向の軸から第１の所定の半径方向の距離へ均一に延在し、前記複数のスカートフィンガーの各々の延在部は、それぞれの少なくとも１つのスカート結合部材により、隣接する前記スカートフィンガーの前記延在部へ取り付けられ、
前記少なくとも１つのスカート結合部材は、前記複数のスカートフィンガーと協働して、前記第１の所定の半径方向の距離と少なくとも等しく、前記内側のリング形状のエッジの半径より小さい半径方向の距離で、前記環状のスカートの前記長手方向の軸を中心として据えられる少なくとも１つのスカートバンドを画定し、
前記固定用リングは、前記環状のスカートと動かないように嵌合し、それにより前記フレキシブルバッグの開口部を固定するように配置され、
前記固定用リングは、固定用リングエッジの内周の周りに半径方向に配列され、前記固定用リングが前記環状のスカートと嵌合されると、前記固定用リングエッジの前記内周から前記環状のスカートの前記長手方向の軸に向かって延在する複数の固定用リングフィンガーを含み、
前記複数の固定用リングフィンガーは、前記環状のスカートの前記長手方向の軸から第２の所定の半径方向の距離へ均一に延在し、前記複数の固定用リングフィンガーの各々の延在部は、それぞれの固定用リング結合部材により、隣接する前記固定用リングフィンガーの前記延在部へ取り付けられ、前記固定用リング結合部材は、前記複数の固定用リングフィンガーと協働して、前記第２の所定の半径方向の距離と少なくとも等しく、前記固定用リングエッジの前記内周の半径より小さい半径方向の距離で、前記環状のスカートの前記長手方向の軸を中心として据えられる少なくとも１つの固定用リングバンドを画定し、
前記器具が前記対象のハンドルを覆うよう据えられると、前記スカート結合部材及び固定用リング結合部材の少なくとも１つは破壊される、器具。
【請求項２】
前記環状のスカートは、前記固定用リングから見ると、前記内側のリング形状のエッジから凸状に延在する、請求項１に記載の器具。
【請求項３】
前記固定用リングは、前記固定用リングのベース部から出て前記環状のスカートの面を少なくとも部分的に覆うフランジを更に含む、請求項１に記載の器具。
【請求項４】
前記環状のスカートは、前記長手方向の軸と平行に前記内側のリング形状のエッジに沿って前記環状のスカートから延在するスカートカラーを更に含み、前記固定用リングは、前記スカートカラーと協働して嵌合するように配置される、請求項１に記載の器具。
【請求項５】
前記第２の所定の半径方向の距離は、前記第１の所定の半径方向の距離より大きい、請求項１〜４の何れか一項に記載の器具。
【請求項６】
前記少なくとも１つのスカートバンドは内側及び外側のスカートバンドを含み、前記内側のスカートバンドは前記長手方向の軸から半径方向の距離にあり、前記第１の所定の半径方向の距離と少なくとも等しく、前記スカートバンドの半径方向の距離より小さく、前記外側のスカートバンドは、前記内側のスカートバンドの前記半径方向の距離より大きい半径方向の距離を有する、請求項１〜４の何れか一項に記載の器具。
【請求項７】
前記第２の所定の半径方向の距離は前記第１の所定の半径方向の距離より大きく、前記固定用リングバンドは半径方向の距離にあり、前記内側のスカートバンドの前記半径方向の距離より大きく、前記外側のスカートバンドの前記半径方向の距離より小さい、請求項６に記載の器具。
【請求項８】
ハンドルのための無菌のカバーを提供する方法であって、前記方法は
折りたたまれた無菌のバッグを開くステップであって、開かれた前記無菌のバッグの開いた端部は前記ハンドルの方に向けられる、ステップを含み、前記開くステップは、前記無菌のバッグへ固定された環状のスカート組立てが前記ハンドルに沿って摺動されることに応じ、
前記環状のスカート組立ては、
環状のスカートと、
固定用リングとを含み、
前記環状のスカートは、
前記環状のスカートの長手方向の軸を画定する内側のリング形状のエッジと、
前記内側のリング形状のエッジの周りに半径方向に配列され、前記内側のリング形状のエッジから前記環状のスカートの前記長手方向の軸に向かって延在する複数のスカートフィンガーと
を含み、
前記複数のスカートフィンガーは、前記環状のスカートの前記長手方向の軸から第１の所定の半径方向の距離へ均一に延在し、前記複数のスカートフィンガーの各々の延在部は、それぞれの少なくとも１つのスカート結合部材により、隣接する前記スカートフィンガーの前記延在部へ取り付けられ、
前記少なくとも１つのスカート結合部材は、前記複数のスカートフィンガーと協働して、前記第１の所定の半径方向の距離と少なくとも等しく、前記内側のリング形状のエッジの半径より小さい半径方向の距離で、前記環状のスカートの前記長手方向の軸を中心として据えられる少なくとも１つのスカートバンドを画定し、
前記固定用リングは前記環状のスカートと動かないように嵌合し、それにより前記無菌のフレキシブルバッグの開口部を固定するように配置され、
前記固定用リングは、固定用リングエッジの内周の周りに半径方向に配列され、前記固定用リングが前記環状のスカートと嵌合されると、前記固定用リングエッジの前記内周から前記環状のスカートの前記長手方向の軸に向かって延在する複数の固定用リングフィンガーを含み、
前記複数の固定用リングフィンガーは、前記環状のスカートの前記長手方向の軸から第２の所定の半径方向の距離へ均一に延在し、前記複数の固定用リングフィンガーの各々の延在部は、それぞれの固定用リング結合部材により、隣接する前記固定用リングフィンガーの前記延在部へ取り付けられ、前記固定用リング結合部材は、前記複数の固定用リングフィンガーと協働して、前記第２の所定の半径方向の距離と少なくとも等しく、前記固定用リングエッジの前記内周の半径より小さい半径方向の距離で、前記環状のスカートの前記長手方向の軸を中心として据えられる少なくとも１つの固定用リングバンドを画定し、
器具が前記ハンドルに沿って摺動されると、前記スカート結合部材及び固定用リング結合部材の少なくとも１つは破壊される、方法。
【請求項９】
前記複数のスカートフィンガーは均一な圧力を前記ハンドルに加える、請求項８に記載の方法。
【請求項１０】
前記複数の固定用リングフィンガーは均一な圧力を前記ハンドルに加える、請求項８に記載の方法。
【発明の詳細な説明】
【技術分野】
【０００１】
本発明は概して、使い捨てハンドルカバー、特に、破壊可能なリブと接続された放射状フィンガーを備える無菌の使い捨てハンドルカバーに関する。
【背景技術】
【０００２】
医療装置、特に手術室装置の無菌状態は、感染症を防ぐ際に非常に重要である。固定装置は、使用と使用との間で容易に殺菌することができず、したがって、スタッフにより触れられることのある装置の一部を覆う無菌の使い捨てハンドルカバーを提供することが有利である。特定の非限定的例において、手術室環境にある手術用ランプは、通常、使い捨てハンドルカバーで覆われているが、それは、手術処置の間に医療スタッフがそれらの位置を手で再調整することを望む場合があるからである。
【０００３】
そのようなハンドルの大多数は、本質的に円筒形であり、したがって同様に、装置とスタッフとの相対的位置に関係なく調整し易い。しかしながら、ハンドルのサイズについての規格は存在せず、したがって様々な直径寸法がある。更に、ハンドルは純粋に円筒形状であり得る、すなわち、その長手方向の軸に沿って均一の直径を有するか、又はその長手方向の軸に沿って様々な直径を有する円錐形状である。
【０００４】
多くのタイプのハンドルカバーが市販されているが、しかしながら、それらの構成はしばしば、期待外れの結果をもたらすか、コストを増大させるかの何れかである。例えば、Ｈａｌａｍｉｓｈ  ｅｔ  ａｌに対して２０１０年７月２０日に発行された米国特許第７，７５７，３５２号明細書（その内容全体が参照により本明細書に組み込まれる）は無菌のハンドルカバーを扱っており、フレキシブルバッグを対象のハンドルへ固定するために様々な長さのスパイクのセットを用いている。その非均一性を理由とする様々な長さのスパイクの必要性は、コストを増加させる。
【発明の概要】
【課題を解決するための手段】
【０００５】
上記の検討及び他の考察に鑑み、本開示は、先行技術のハンドルカバー及び本発明のハンドルカバーの欠点の幾つか又は全てを克服する方法及び器具を提供する。例示的一実施形態において、実施形態は器具が対象のハンドルを覆うように配置されること可能にし、器具は、一端で開いているフレキシブルバッグと、環状のスカートと、固定用リングとを含み、環状のスカートは、環状のスカートの長手方向の軸を画定する内側のリング形状のエッジと、内側のリング形状のエッジの周りに半径方向に配列され、内側のリング形状のエッジから環状のスカートの長手方向の軸に向かって延在する複数のスカートフィンガーとを含み、複数のスカートフィンガーは、環状のスカートの長手方向の軸から第１の所定の半径方向の距離へ均一に延在し、複数のスカートフィンガーの各々の延在部は、それぞれの少なくとも１つのスカート結合部材により、隣接するスカートフィンガーの延在部へ取り付けられ、少なくとも１つのスカート結合部材は、複数のスカートフィンガーと協働して、第１の所定の半径方向の距離と少なくとも等しく、内側のリング形状のエッジの半径より小さい半径方向の距離で、環状のスカートの長手方向の軸を中心として据えられる少なくとも１つのスカートバンドを画定し、固定用リングは、環状のスカートと動かないように嵌合し、それによりフレキシブルバッグの開口部を固定するように配置され、固定用リングは、固定用リングエッジの内周の周りに半径方向に配列され、固定用リングが環状のスカートと嵌合されると、固定用リングエッジの内周から環状のスカートの長手方向の軸に向かって延在する複数の固定用リングフィンガーを含み、複数の固定用リングフィンガーは、環状のスカートの長手方向の軸から第２の所定の半径方向の距離へ均一に延在し、複数の固定用リングフィンガーの各々の延在部は、それぞれの固定用リング結合部材により、隣接する固定用リングフィンガーの延在部へ取り付けられ、固定用リング結合部材は、複数の固定用リングフィンガーと協働して、第２の所定の半径方向の距離と少なくとも等しく、固定用リングエッジの内周の半径より小さい半径方向の距離で、環状のスカートの長手方向の軸を中心として据えられる少なくとも１つの固定用リングバンドを画定する。
【０００６】
一実施形態において、器具が対象のハンドルを覆うよう据えられると、スカート結合部材及び固定用リング結合部材の少なくとも１つは破壊される。他の実施形態において、環状のスカートは、固定用リングから見ると、内側のリング形状のエッジから凸状に延在する。
【０００７】
一実施形態において、固定用リングは、固定用リングのベース部から出て環状のスカートの面を少なくとも部分的に覆うフランジを更に含む。他の実施形態において、環状のスカートは、長手方向の軸と平行に内側のリング形状のエッジに沿って環状のスカートから延在するスカートカラーを更に含み、固定用リングは、スカートカラーと協働して嵌合するように配置される。
【０００８】
一実施形態において、第２の所定の半径方向の距離は第１の所定の半径方向の距離より大きい。他の実施形態において、少なくとも１つのスカートバンドは内側及び外側のスカートバンドを含み、内側のスカートバンドは、第１の所定の半径方向の距離と少なくとも等しく、スカートバンドの半径方向の距離より小さい、長手方向の軸からの半径方向の距離にあり、外側のスカートバンドは、内側のスカートバンドの半径方向の距離より大きい半径方向の距離を有する。更に別の実施形態において、第２の所定の半径方向の距離は第１の所定の半径方向の距離より大きく、固定用リングバンドは、内側のスカートバンドの半径方向の距離より大きく、外側のスカートバンドの半径方向の距離より小さい半径方向の距離にある。
【０００９】
独立して、本発明の実施形態は、ハンドルのための無菌のカバーを提供する方法であって、方法は、折りたたまれた無菌のバッグを開くステップであって、開かれた無菌のバッグの開いた端部はハンドルの方に向けられる、ステップを含み、開くステップは、無菌のバッグへ固定された環状のスカート組立てがハンドルに沿って摺動されるに応じ、環状のスカート組立ては、環状のスカートと、固定用リングとを含み、環状のスカートは、環状のスカートの長手方向の軸を画定する内側のリング形状のエッジと、内側のリング形状のエッジの周りに半径方向に配列され、内側のリング形状のエッジから環状のスカートの長手方向の軸に向かって延在する複数のスカートフィンガーとを含み、複数のスカートフィンガーは、環状のスカートの長手方向の軸から第１の所定の半径方向の距離へ均一に延在し、複数のスカートフィンガーの各々の延在部は、それぞれの少なくとも１つのスカート結合部材により、隣接するスカートフィンガーの延在部へ取り付けられ、少なくとも１つのスカート結合部材は、複数のスカートフィンガーと協働して、第１の所定の半径方向の距離と少なくとも等しく、内側のリング形状のエッジの半径より小さい半径方向の距離で、環状のスカートの長手方向の軸を中心として据えられる少なくとも１つのスカートバンドを画定し、固定用リングは環状のスカートと動かないように嵌合し、それにより無菌のフレキシブルバッグの開口部を固定するように配置され、固定用リングは、固定用リングエッジの内周の周りに半径方向に配列され、固定用リングが環状のスカートと嵌合されると、固定用リングエッジの内周から環状のスカートの長手方向の軸に向かって延在する複数の固定用リングフィンガーを含み、複数の固定用リングフィンガーは、環状のスカートの長手方向の軸から第２の所定の半径方向の距離へ均一に延在し、複数の固定用リングフィンガーの各々の延在部は、それぞれの固定用リング結合部材により、隣接する固定用リングフィンガーの延在部へ取り付けられ、固定用リング結合部材は、複数の固定用リングフィンガーと協働して、第２の所定の半径方向の距離と少なくとも等しく、固定用リングエッジの内周の半径より小さい半径方向の距離で、環状のスカートの長手方向の軸を中心として据えられる少なくとも１つの固定用リングバンドを画定する、方法を可能にする。
【００１０】
一実施形態において、方法は、器具がハンドルに沿って摺動されると、スカート結合部材及び固定用リング結合部材の少なくとも１つは破壊されることを更に含む。更に別の実施形態において、複数のスカートフィンガーは均一な圧力をハンドルに加える。更に別の実施形態において、複数の固定用リングフィンガーは均一な圧力をハンドルに加える。
【００１１】
本発明の追加的な特徴及び利点は以下の図面及び説明から明らかになる。
【００１２】
本発明のよりよい理解のため、及び本発明がどのようにして実施され得るかを示すため、ここで、全体を通じて同様の符号が対応する要素又は部分を指す添付図面を純粋に例示として参照する。
【００１３】
図面を詳細に具体的に参照するが、図示の項目は、例示であり、本発明の好ましい実施形態の説明のための記述のみを目的とするものであり、本発明の原理及び概念的側面を最も有用で容易に理解される説明と考えられるものを提供するために示されていることが強調される。この点で、本発明の構造的細部を、本発明の基礎的理解に必要である以上に詳細に示す努力はなされておらず、図面と併せた説明により、本発明の幾つかの形態が実際にどのように実現され得るかが、当業者には明らかになる。
【図面の簡単な説明】
【００１４】
【図１Ａ】特定の実施形態による環状のスカートの概略図を示す。
【図１Ｂ】特定の実施形態による環状のスカートの他の概略図を示す。
【図２Ａ】特定の実施形態による固定用リングの概略図を示す。
【図２Ｂ】特定の実施形態による固定用リングの他の概略図を示す。
【図３Ａ】特定の実施形態による、フレキシブルバッグ、図１Ａ〜１Ｂの環状のスカート、及び図２Ａ〜２Ｂの固定用リングを含む、対象のハンドルカバー器具の概略図を示す。
【図３Ｂ】特定の実施形態による、フレキシブルバッグ、図１Ａ〜１Ｂの環状のスカート、及び図２Ａ〜２Ｂの固定用リングを含む、対象のハンドルカバー器具の他の概略図を示す。
【図４Ａ】ハンドルの概略図を示す。
【図４Ｂ】図４Ａのハンドルを覆う図３Ａ〜３Ｂの器具の概略図を示す。
【図４Ｃ】図４Ａのハンドルを覆う図３Ａ〜３Ｂの器具の他の概略図を示す。
【図５】ハンドルのための無菌のカバーを提供する方法の概略フローチャートを示す。
【発明を実施するための形態】
【００１５】
本発明の少なくとも１つの実施形態を詳細に説明する前に、本発明はその適用において、以下の説明に記載されている又は図面に示されている構成要素の構成及び配置構成の詳細に限定されないことを理解されたい。本発明は他の実施形態に適用可能であり、又は様々な方法で実施又は実行されるものである。また、本明細書において用いられる語句及び専門用語は説明を目的とするものであり、限定するものと解釈されてはならないことを理解されたい。
【００１６】
図１Ａ〜４Ｃは、フレキシブルバッグ２０と、環状のスカート３０と、半径４５を有する固定用リング４０とを含む、対象のハンドルカバー器具１０の様々な概略図を示す。特に、図１Ａは環状のスカート３０の概略斜視図を示し、図１Ｂは環状のスカート３０の概略上面図を示し、図２Ａは固定用リング４０の概略上面図を示し、図２Ｂは固定用リング４０の概略斜視図を示し、図３Ａは器具１０の概略斜視図を示し、図３Ｂは器具１０の概略底面図を示し、図４Ａはハンドルの概略斜視図を示し、図４Ｂは、ハンドル２２０を覆い、固定用リング４０の無い器具１０の概略斜視図を示し、図４Ｃは、ハンドル２２０を覆い、固定用リング４０を備える器具１０概略斜視図を示し、図１Ａ〜４Ｃは一緒に説明される。環状のスカート３０は、半径５５を有する内側のリング形状のエッジ５０と、複数のスカートフィンガー６０と、スカートカラー７０とを含む。固定用リング４０は、複数の固定用リングフィンガー１００とフランジ１１０とを含む。
【００１７】
内側のリング形状のエッジ５０は環状のスカート３０の長手方向の軸１２０を画定し、長手方向の軸１２０は、内側のリング形状のエッジ５０の中心を通って延在する。スカートフィンガー６０は、内側のリング形状のエッジ５０の周りに半径方向に配置され、内側のリング形状のエッジ５０から長手方向の軸１２０に向かって延在する。スカートフィンガー６０は、長手方向の軸１２０から第１の所定の半径方向の距離１３０へ均一に延在する。各スカートフィンガー６０の延在部は、それぞれの少なくとも１つのスカート結合部材１４０により、隣接するスカートフィンガー６０の延在部へ取り付けられる。一実施形態において、各スカートフィンガー６０の延在部は、複数のスカート結合部材１４０、任意選択的に２つのスカート結合部材１４０により、隣接するスカートフィンガー６０の延在部へ取り付けられる。
【００１８】
少なくとも１つのスカート結合部材１４０は、スカートフィンガー６０と協働して、第１の半径方向の距離１３０と少なくとも等しく、内側のリング形状のエッジ５０の半径５５より小さい半径方向の距離１５５で、環状のスカート３０の長手方向の軸１２０を中心として据えられる少なくとも１つのスカートバンド１５０を画定する、すなわち、少なくとも１つのスカートバンド１５０は、第１の半径方向の距離１３０より大きいか、又はそれと等しく、半径５５より小さいその半径１５５を有する。一実施形態において、少なくとも１つのスカートバンド１５０は、半径方向の距離１５５Ａで長手方向の軸１２０を中心として据えられる内側のスカートバンド１５０Ａと、半径方向の距離１５５Ａより大きい半径方向の距離１５５Ｂで長手方向の軸１２０を中心として据えられる外側のスカートバンド１５０Ｂとを含む。別の実施形態において、３つ以上の内側のスカートバンド１５０が設けられ、各々が長手方向の軸１２０からそれぞれの半径方向の距離１５５を有する。スカートカラー７０は、内側のリング形状のエッジ５０に沿って、長手方向の軸１２０と平行に、環状のスカート３０の面３２から延在する。環状のスカート３０の面３２は、内側のリング形状のエッジ５０から凸状に延在する。
【００１９】
固定用リング４０のベース部４２は、スカートカラー７０にわたって環状のスカート３０と動かないように嵌合するように配置される。固定用リングフィンガー１００は、固定用リング４０のエッジ１６０の周りに半径方向に配置され、固定用リング４０が環状のスカート３０と嵌合されると、エッジ１６０の内周１７０から環状のスカート３０の長手方向の軸１２０へ延在する。固定用リングフィンガー１００は、長手方向の軸１２０から第２の所定の半径方向の距離１８０へ均一に延在し、各固定用リングフィンガー１００の延在部は、それぞれの固定用リング結合部材１９０により、隣接する固定用リングフィンガー１００の延在部へ取り付けられる。一実施形態において、固定用リングフィンガー１００の第２の半径方向の距離１８０はスカートフィンガー６０の第１の半径方向の距離１３０より大きい。固定用リング結合部材１９０は、固定用リングフィンガー１００と協働して、第２の半径方向の距離１８０と少なくとも等しく、固定用リング４０の半径４５より小さい半径方向の距離２１０で、長手方向の軸１２０を中心として据えられる少なくとも１つの固定用リングバンド２００を画定する。フランジ１１０は、固定用リング４０のベース部４２から出て、環状のスカート３０の面３２を少なくとも部分的に覆う。
【００２０】
フレキシブルバッグ２０は、その端部２５で開き、フレキシブルバッグ２０の端部２５は内側のリング形状のエッジ５０の第２の端部５２にわたって位置付けられる。上述のとおり、固定用リング４０は、内側のリング形状のエッジ５０の第２の端部５２にわたって環状のスカート３０と嵌合するように配置され、それによりフレキシブルバッグ２０の開いた端部２５を固定する。一実施形態において（図示せず）、複数の留め金がスカートカラー７０の周りに配列され、複数の留め金は各々隣接する固定用リングフィンガー１００間のそれぞれのスペースと嵌合するように配置され、それによりフレキシブルバッグ２０の開いた端部２５及び固定用４０を環状のスカート３０へ固定する。更なる一実施形態（図示せず）において、環状のスカート３０は複数の切欠きを有し、各々複数の留め金のそれぞれの１つと並置され、それぞれの留め金のためのばねのような作用を提供するように配置される。
【００２１】
器具１０は、ハンドル２２０のための無菌のカバーを提供するために配置される。環状のスカート３０及び固定用リング４０は、フレキシブルバッグ２０の開いた端部２５を通るハンドル２２０の長さ２３０に沿って摺動し、ハンドル２２０の長手方向の軸２４０は長手方向の軸１２０と合致する。スカートバンド１５０及び／又は固定用リングバンド２００の少なくとも１つは、ハンドル２２０上を摺動されると破壊される。一実施形態において、スカートフィンガー６０の第１の半径方向の距離１３０及び固定用リングフィンガー１００の第２の半径方向の距離１８０は、ハンドル２２０の半径２５０が第１の半径方向の距離１３０及び第２の半径方向の距離１８０より大きくなるように決定される。ハンドル２２０は、スカートフィンガー６０及び固定用リングフィンガー１００に対して圧力を加え、それにより、スカートバンド１５０及び／又は固定用リングバンド２００の少なくとも１つを破壊する。内側のスカートバンド１５０Ａ及び外側のスカートバンド１５０Ｂが設けられる実施形態において、第１の所定の長さより小さい半径２５０を有するハンドル２２０は内側のスカートバンド１５０Ａを破壊し、第１の所定の長さより大きい半径２５０を有するハンドル２２０は、内側のスカートバンド１５０Ａと外側のスカートバンド１５０Ｂとの両方を破壊する。
【００２２】
各バンドの部分的破壊により、それぞれのフィンガーが、ハンドルへ圧力を加えることが可能になる。特に、固定用リングバンド２００の固定用リング結合部材１９０の幾つかの破壊は固定用リングフィンガー１００を曲げ、固定用リングバンド２００の残りの部分に応じてハンドル２００へ圧力を加える。同様に、スカートバンド１５０のスカート結合部材１４０の幾つかの破壊はスカートフィンガー６０を曲げ、スカートバンド１５０の残りの部分に応じてハンドル２００へ圧力を加える。内側のスカートバンド１５０Ａの破壊はスカートフィンガー６０を曲げハンドル２００へ圧力を加えるが、しかしながら、環状のスカート３０が第１の所定の長さより大きい半径２５０を有するハンドル２２０にわたって摺動する場合、ハンドル２２０は内側のスカートバンド１５０Ａを完全に破壊する、すなわち、その全てのスカート結合部材１４０が破壊され、それによりスカートフィンガー６０はハンドル２００へ圧力を加えることがない。有利には、外側のスカートバンド１５０Ｂのスカート結合部材１４０のうちの幾つかのみが破壊され、それにより、スカートフィンガー６０が、外側のスカートバンド１５０Ｂの残りの部分に応じてハンドル２００へ圧力を加える。したがって、スカートフィンガー６０は、幅広い半径２５０を有するハンドル２２０へ均一の圧力を加えるように配置される。特に、内側のスカートバンド１５０Ａに応じて、小さい半径２５０を有するハンドル２２０へ圧力が加えられ、外側のスカートバンド１５０Ｂに応じて、大きい半径２５０を有するハンドル２２０へ圧力が加えられる。好ましくは、スカートフィンガー６０は全て単一の物質からなり、したがって、それによりハンドル２２０へ加えられる圧力は均一である。一実施形態において、製造プロセス中、スカートフィンガー６０は、物質の単片を穿孔することにより形成され、それによりスカートフィンガー６０及びそれぞれのスカートバンド１５０を形成する。
【００２３】
上述のとおり、固定用リングフィンガー１００は、固定用リングバンド２００の固定用リング結合部材１９０が破壊されるとき、ハンドル２２０へ圧力を加えるように配置される。好ましくは、固定用リングフィンガー１００は全て単一の物質からなり、したがって、それによりハンドル２２０へ加えられる圧力は均一である。一実施形態において、製造プロセス中、固定用リングフィンガー１００は、物質の単片を穿孔することにより形成され、それにより、固定用リングフィンガー１００及び固定用リングバンド２００を形成する。
【００２４】
スカートフィンガー６０及び固定用リングフィンガー１００は、ハンドル２２０へ圧力を加え、それにより器具１０をハンドル２２０上の適所に保持し、フレキシブルバッグ２０はハンドル２２０を覆うように配置される。好ましくは、器具１０は無菌であり、それにより、ハンドル２２０のための無菌のカバーを提供する。
【００２５】
図５は、特定の実施形態によるハンドルのための無菌のカバーを提供する方法の概略フローチャートを示す。ステージ１００において、折りたたまれた無菌のバッグは、無菌のバッグの開いた端部をハンドルの方に向けて開かれる。開くステップは、無菌のバッグへ固定された環状のスカート組立てがハンドルに沿って摺動することに応じる。ステージ１０１０において、環状のスカートが設けられ、環状のスカートは、環状のスカートの長手方向の軸を画定する内側のリング形状のエッジと、内側のリング形状のエッジの周りに半径方向に配列され、内側のリング形状のエッジから環状のスカートの長手方向の軸に向かって延在する複数のスカートフィンガーとを含む。複数のスカートフィンガーは、環状のスカートの長手方向の軸から第１の所定の半径方向の距離へ均一に延在し、複数のスカートフィンガーの各々の延在部は、それぞれの少なくとも１つのスカート結合部材により、隣接するスカートフィンガーの延在部へ取り付けられる。少なくとも１つのスカート結合部材は、複数のスカートフィンガーと協働して、第１の所定の半径方向の距離と少なくとも等しく、内側のリング形状のエッジの半径より小さい半径方向の距離で、環状のスカートの長手方向の軸を中心として据えられる少なくとも１つのスカートバンドを画定する。
【００２６】
ステージ１０２０において、ステージ１０１０の固定用リングは環状のスカートと動かないように嵌合するように配置され、それにより、ステージ１０００の無菌のフレキシブルバッグの開口部を固定する。固定用リングは、固定用リングの周りに半径方向に配列され、固定用リングが環状のスカートと嵌合されると、固定用リングエッジの内周から環状のスカートの長手方向の軸に向かって延在する複数の固定用リングフィンガーを含む。複数の固定用リングフィンガーは、環状のスカートの長手方向の軸から第２の所定の半径方向の距離へ均一に延在し、複数の固定用リングフィンガーの各々の延在部は、それぞれの固定用リング結合部材により、隣接する固定用リングフィンガーの延在部へ取り付けられ、固定用リング結合部材は、複数の固定用リングフィンガーと協働して、第２の所定の半径方向の距離と少なくとも等しく、固定用リングエッジの内周の半径より小さい半径方向の距離で、環状のスカートの長手方向の軸を中心として据えられる少なくとも１つの固定用リングバンドを画定する。
【００２７】
任意選択的なステージ１０３０において、スカートバンドの少なくとも１つのスカート結合部材の少なくとも１つ及び／又は固定用リングバンドの少なくとも１つの固定用リング結合部材の少なくとも１つは、ステージ１０００の環状のスカート組立てがハンドルに沿って摺動されると壊れる。スカートバンド及び／又は固定用リングバンドの結合部材の破壊は、それぞれのスカートフィンガー及び／又は固定用リングフィンガーにハンドルへ圧力を加えさせ、それを適所に保持する。任意選択的に、上述のとおり、スカートフィンガーは全て同じ物質からなり、したがって、それによりハンドルへ加えられる圧力は均一である。更に任意選択的に、上述のとおり、固定用リングフィンガーは全て同じ物質からなり、したがって、それによりハンドルへ加えられる圧力は均一である。任意選択的なステージ１０４０において、ステージ１０２０の固定用リングフィンガーの第２の所定の半径方向の距離は、ステージ１０１０のスカートフィンガーの第１の所定の半径方向の距離より大きい。
【００２８】
明確化のために別々の実施形態との関連において説明された本発明の特定の特徴は、単一の実施形態において組み合わせて提供されてもよいことが理解される。逆に、簡潔化のために単一の実施形態との関連で説明された本発明の様々な特徴はまた、別々に、又は任意の適切な部分的組合せで提供されてもよい。
【００２９】
別段の定めがない限り、本明細書において使用される全ての技術用語及び科学用語は、本発明が属する技術分野の当業者により一般的に理解されているものと同じ意味を有する。本明細書において説明されたものと同様又は均等な方法は、本発明の実施又は試験において使用され得るが、適切な方法が本明細書において説明されている。
【００３０】
本明細書において言及された全ての刊行物、特許出願、特許、及び他の参考文献は、それらの全体が参照により組み込まれる。矛盾がある場合には、定義を含む本明細書が優先される。加えて、物質、方法、及び例は説明のためのみであり、限定することを意図されていない。
【００３１】
本発明は、上記で特に示され説明されたものに限定されないことが当業者には明らかである。むしろ、本発明の範囲は、添付の特許明細の範囲により定められ、上記で説明された様々な特徴の組合せ及び部分的組合せの両方、並びに上記説明を読めば当業者に想到されるであろうその変形形態及び修正形態を含む。
【図１Ａ】
0006648113.tif 000002
【図１Ｂ】
0006648113.tif 000003
【図２Ａ】
0006648113.tif 000004
【図２Ｂ】
0006648113.tif 000005
【図３Ａ】
0006648113.tif 000006
【図３Ｂ】
0006648113.tif 000007
【図３Ｃ】
0006648113.tif 000008
【図４Ａ】
0006648113.tif 000009
【図４Ｂ】
0006648113.tif 000010
【図４Ｃ】
0006648113.tif 000011
【図５】
0006648113.tif 000012